【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
遊技装置の遊技制御を行うＣＰＵ、ＲＯＭ及びＲＡＭを内蔵する遊技用演算処理装置を含む遊技制御基板を監視する遊技装置の監視装置であって、
前記遊技用演算処理装置は、
正当な遊技制御基板であることを証明する固有識別情報を記憶するセキュリティ回路と、
外部よりの指令に基づいて前記セキュリティ回路に記憶された固有識別情報を外部に送出する外部通信回路と、を有し、
前記監視装置は、
該監視装置が監視する遊技制御基板の正当性の判定要素となる固有識別情報を記憶する正当性判定情報記憶手段と、
前記遊技用演算処理装置へ前記セキュリティ回路に記憶された固有識別情報の送出を所定間隔毎の確認タイミングで指令する固有識別情報要求手段と、
前記外部通信回路により送出された固有識別情報と前記正当性判定情報記憶手段に記憶されている判定要素としての固有識別情報とを比較し、遊技制御基板の正当性を判定する遊技制御装置正当性判定手段と、
を備え、
前記ＣＰＵの動作に拘わらず、前記外部通信回路及び前記セキュリティ回路が独立して固有識別情報の要求に対する応答を行うようにしたことを特徴とする遊技装置の監視装置。
【請求項２】
前記監視装置は、
前記遊技制御装置正当性判定手段の判定結果により遊技制御基板の非正当性が認められた場合に、前記遊技装置を不能動化する遊技装置不能動化手段を備えていることを特徴とする請求項１記載の遊技装置の監視装置。
【請求項３】
前記監視装置は、
前記遊技制御基板より発生する遊技情報を管理する管理装置と遊技装置間の通信網に、該遊技装置に対応して配置され、
前記通信網には、通信への加入／脱退が可能な設定装置を備え、
前記設定装置は、
前記監視装置へ該監視装置が正当性を監視する前記遊技制御基板の判定要素となる固有識別情報を設定する設定手段を備えていることを特徴とする請求項１又は２記載の遊技装置の監視装置。
【請求項４】
前記監視装置は、
前記遊技制御装置正当性判定手段の判定結果により遊技制御基板の非正当性が認められた場合に、前記管理装置側に不正状態情報を通報する不正状態通報手段を備えていることを特徴とする請求項３記載の遊技装置の監視装置。
【手続補正２】
【補正対象書類名】明細書
【補正対象項目名】０００２
【補正方法】変更
【補正の内容】
【０００２】
【従来の技術】
従来、遊技機、詳しくはパチンコ遊技機は市場に販売するにあたって所定の法律等（例えば、風俗営業等の規則及び業務の適正化等に関する法律等）に即したパチンコ遊技機の性能を満たしているか否かの検査を、第３者機関によって行ってもらい、所定の基準（例えば、「遊技機の認定及び型式の検定等に関する規則」に定められた基準）を満たしている場合に限り、販売許可を取得でき、その結果、市場での販売が可能になっている。
遊技店では、上記のような所定の基準を満たした遊技機を設置し、営業が可能になる。遊技機の設置の際には、所轄の警察署等により、遊技店のどの設備（島設備）のどの場所に遊技機が取り付けられたかが確認され管理される。すなわち、一旦、遊技機が設置された後は、当該遊技機を移動する場合は警察等により許可が必要となっている。また、遊技機は集客の観点から台の入れ替え（交換）が行われることがあり、これには遊技機ごと取り替える場合、遊技盤＋遊技制御基板のみを取り替える場合がある。このような台の入れ替えに際しても、警察署等により同様に確認が行われ、管理される。


【手続補正３】
【補正対象書類名】明細書
【補正対象項目名】０００８
【補正方法】変更
【補正の内容】
【０００８】
【課題を解決するための手段】
上記目的達成のため、請求項１記載の発明による遊技装置の監視装置は、遊技装置の遊技制御を行うＣＰＵ、ＲＯＭ及びＲＡＭを内蔵する遊技用演算処理装置を含む遊技制御基板を監視する遊技装置の監視装置であって、
前記遊技用演算処理装置は、
正当な遊技制御基板であることを証明する固有識別情報を記憶するセキュリティ回路と、
外部よりの指令に基づいて前記セキュリティ回路に記憶された固有識別情報を外部に送出する外部通信回路と、を有し、
前記監視装置は、
該監視装置が監視する遊技制御基板の正当性の判定要素となる固有識別情報を記憶する正当性判定情報記憶手段と、
前記遊技用演算処理装置へ前記セキュリティ回路に記憶された固有識別情報の送出を所定間隔毎の確認タイミングで指令する固有識別情報要求手段と、
前記外部通信回路により送出された固有識別情報と前記正当性判定情報記憶手段に記憶されている判定要素としての固有識別情報とを比較し、遊技制御基板の正当性を判定する遊技制御装置正当性判定手段と、
を備え、
前記ＣＰＵの動作に拘わらず、前記外部通信回路及び前記セキュリティ回路が独立して固有識別情報の要求に対する応答を行うようにしたことを特徴とする。


【手続補正４】
【補正対象書類名】明細書
【補正対象項目名】０００９
【補正方法】変更
【補正の内容】
【０００９】
また、好ましい態様として、例えば請求項１に従属する請求項２記載のように、前記監視装置は、
前記遊技制御装置正当性判定手段の判定結果により遊技制御基板の非正当性が認められた場合に、前記遊技装置を不能動化する遊技装置不能動化手段を備えているようにしてもよい。


【手続補正５】
【補正対象書類名】明細書
【補正対象項目名】００１０
【補正方法】変更
【補正の内容】
【００１０】
例えば請求項１又は２に従属する請求項３記載のように、前記監視装置は、
前記遊技制御基板より発生する遊技情報を管理する管理装置と遊技装置間の通信網に、該遊技装置に対応して配置され、
前記通信網には、通信への加入／脱退が可能な設定装置を備え、
前記設定装置は、
前記監視装置へ該監視装置が正当性を監視する前記遊技制御基板の判定要素となる固有識別情報を設定する設定手段を備えているようにしてもよい。


【手続補正６】
【補正対象書類名】明細書
【補正対象項目名】００１１
【補正方法】変更
【補正の内容】
【００１１】
例えば請求項３に従属する請求項４記載のように、前記監視装置は、
前記遊技制御装置正当性判定手段の判定結果により遊技制御基板の非正当性が認められた場合に、前記管理装置側に不正状態情報を通報する不正状態通報手段を備えているようにしてもよい。


【手続補正７】
【補正対象書類名】明細書
【補正対象項目名】００１２
【補正方法】削除
【補正の内容】
【手続補正８】
【補正対象書類名】明細書
【補正対象項目名】００６１
【補正方法】変更
【補正の内容】
【００６１】
遊技用演算処理装置２００では、外部通信回路２０５が処理を行い、まずステップＳ２３で遊技情報収集装置１（ＰＪ１）から送られてきた固有ＩＤ要求指令が正規な指令情報であるか否かを判別し、正規のものでなければルーチンを終了する。したがって、このときは無応答となる。無応答とすることによって、不正の防止を行う。例えば、何かしら応答すると、その応答を解析される恐れがあるので、無応答にしているものである。要は、不正なコマンドに対する応答動作はしないという構成である。なお、無応答に限らず、予め決められた一定の情報だけを返す（例えば、応答不能です）ようにしてもよい。このように無応答にすることにより、不正者による解析を著しく困難にすることができる。
ここでの処理は、遊技制御装置（遊技制御基板４１）の遊技制御手段（遊技用演算処理装置２００）のうち、外部通信回路２０３およびセキュリティ回路２０４によって実行され、外部（例えば、遊技情報収集装置１（ＰＪ１））より指令される指令形式（例えば、固有ＩＤ要求指令）の正当性を判定する指令形式判定手段と、指令形式判定手段の判定結果により指令形式の非正当性が認められた場合（例えば、正規な指令情報でない場合）に、指令を行った外部（例えば、遊技情報収集装置１（ＰＪ１））に対して無応答の処理を行う不正指令応答手段と、いう機能を実現することに相当する。


【手続補正９】
【補正対象書類名】明細書
【補正対象項目名】００６７
【補正方法】変更
【補正の内容】
【００６７】
Ｃ．イベント処理
次に、遊技情報収集装置１（ＰＪ１）のイベント処理に関するサブルーチンについて説明する。図７はイベント処理のサブルーチンを示すフローチャートである。イベント処理の過程では、遊技情報収集装置１（ＰＪ１）、状態変化情報記録装置（ＪＲ）および補助状態変化情報記録装置（ＪＲ’）において関連する処理が行われる。
まず、遊技情報収集装置１（ＰＪ１）のメインルーチンのイベント処理において、ステップＳ４１でイベント信号確認処理を行う。これは、遊技情報収集装置１（ＰＪ１）が管理する遊技機１０、遊技設備装置よりの遊技情報を取得するために、まずこれらの各端末からの信号（イベント信号）の入力の確認を行うものである。すなわち、遊技情報収集装置１（ＰＪ１）では、売上信号（カード）、売上信号（現金）、補給球数信号、回収球数信号、特図回転信号、大当り信号、確変信号の入力の受け入れが可能であるが、これらの信号は常時入力されるものではなく、該当するイベント（例えば、プリペイドカードによる球貸しというイベントが発生すると、売上信号（カード）が入力される等）の発生に応じて入力されるものであり、ステップＳ４１ではイベントの発生があった場合に、当該イベントに対応した信号の受け入れを確認することになる。


【手続補正１０】
【補正対象書類名】明細書
【補正対象項目名】００８９
【補正方法】変更
【補正の内容】
【００８９】
遊技情報収集装置１（ＰＪ１）では、ステップＳ８６で設定・検査装置２３よりの要求情報があるか否かを判別し、要求情報がなければルーチンを終了する。要求情報があれば、ステップＳ８６に進んで要求情報を遊技用演算処理装置２００へ送信し、ステップＳ８７でその応答を待つ。
遊技用演算処理装置２００では、ステップＳ９１で遊技情報収集装置１（ＰＪ１）から受け取った要求情報が正規な要求情報であるか否かを判別し、正規なものでない場合はルーチンを終了する（無応答となる）。
正規な要求情報である場合は、ステップＳ９２でその要求指令が要求情報の変更であるか否かを判別する。要求情報の変更でなければルーチンを終了する（無応答となる）。要求情報の変更であれば、ステップＳ９３に進んで変更要求情報設定処理を行う。これは、変更要求情報をセキュリティ回路２０４に記憶するものである。セキュリティ回路２０４には予め固有ＩＤ、デフォルト状態における要求指令情報が記憶されており、要求指令変更後は、それらの情報に併せて変更情報が記憶される。


【手続補正１１】
【補正対象書類名】明細書
【補正対象項目名】００９７
【補正方法】変更
【補正の内容】
【００９７】
従来は、改竄した遊技用チップが設けられている遊技制御基板４１を、例えば流通の過程での交換、夜間遊技店１に侵入しての交換、あるいは不当な遊技店１による交換等により元の遊技用チップが設けられている遊技制御基板４１と交換されてしまうと、不当な遊技が行われることになっていたが、これに対して本実施例では、上記のような改竄した遊技用チップへの交換が行われると、固有ＩＤが異なることによって遊技が不能動化されるので、不正な遊技制御基板４１の交換を確実に防止することができる。その結果、改竄した遊技用チップの被害を無くし、正当に営業を行っている遊技店、遊技機製造メーカーおよび遊技機の検定を行っている第３者機関に対して、社会的信用の低下をもたらし、不当な迷惑をかけるという不具合を確実に解消することができる。


【手続補正１２】
【補正対象書類名】明細書
【補正対象項目名】０１１０
【補正方法】変更
【補正の内容】
【０１１０】
【発明の効果】
請求項１記載の発明によれば、遊技装置（例えば、遊技機１０）の遊技制御を行う遊技用演算処理装置２００を含む遊技制御基板４１の監視装置（例えば、遊技情報収集装置１（ＰＪ１）および遊技情報収集装置２（ＰＪ２））は、遊技制御基板の正当性の判定要素となる固有識別情報（例えば、固有ＩＤ）を記憶し、遊技用演算処理装置２００のセキュリティ回路２０４に記憶された固有識別情報（例えば、固有ＩＤ）の送出を所定間隔毎の確認タイミングで指令し、遊技用演算処理装置２００の外部通信回路２０５より送出された固有識別情報と判定要素としての固有識別情報とを比較して遊技制御基板の正当性を判定しているので、以下の効果を得ることができる。


【手続補正１３】
【補正対象書類名】明細書
【補正対象項目名】０１１１
【補正方法】変更
【補正の内容】
【０１１１】
従来は第３者機関による検査に合格して販売された遊技機であっても、遊技店において、不正な遊技プログラムを格納した遊技用チップ（すなわち、例えば遊技用演算処理装置２００のこと。以下適宜、遊技用チップという）の交換という不正が行われた場合に、この不正を有効に防止することが困難であったが、本発明では不正な遊技プログラムを有する別の遊技用演算処理装置への交換が行われた場合には、遊技装置の監視装置（例えば、遊技情報収集装置１（ＰＪ１）および遊技情報収集装置２（ＰＪ２））によって遊技用演算処理装置の固有識別情報（固有ＩＤ）をチェックすることで、その正当性が判断され、不当な場合には適切な処置を取ることができる（例えば、後述のように遊技装置（例えば、遊技機１０）の動作の不能動化）。
したがって、遊技用チップ（遊技用演算処理装置）の交換という不正を確実に防止することができる。


【手続補正１４】
【補正対象書類名】明細書
【補正対象項目名】０１１６
【補正方法】変更
【補正の内容】
【０１１６】
請求項２記載の発明によれば、遊技制御装置正当性判定手段の判定結果により遊技制御基板の非正当性が認められた場合に遊技装置を不能動化することにより、不正な遊技用チップへの交換という不正を確実に防止することができるとともに、遊技店の被害を最小限に抑えることができる。
また、従来は、改竄した遊技用チップが設けられている遊技制御基板を、例えば流通の過程での交換、夜間遊技店に侵入しての交換、あるいは不当な遊技店による交換等により元の遊技用チップが設けられている遊技制御基板と交換されてしまうと、不当な遊技が行われることになっていたが、これに対して本発明では、上記のような改竄した遊技用チップへの交換が行われると、固有識別情報（固有ＩＤ）が異なることによって遊技が不能動化されるので、不正な遊技制御基板の交換を確実に防止することができる。その結果、改竄した遊技用チップの被害が無くし、正当に営業を行っている遊技店、遊技機製造メーカーおよび遊技機の検定を行っている第３者機関に対して、社会的信用の低下をもたらし、不当な迷惑をかけるという不具合を確実に解消することができる。


【手続補正１５】
【補正対象書類名】明細書
【補正対象項目名】０１１７
【補正方法】変更
【補正の内容】
【０１１７】
請求項３記載の発明によれば、設定装置により遊技装置の監視装置へ該監視装置が正当性を監視する遊技制御基板の判定要素となる固有識別情報を設定することにより、流通過程における監視装置の盗難による固有識別情報の漏洩の防止、および遊技機の入替え時における監視装置への新たな固有識別情報の設定が行え、遊技機の入替え時の設定が容易になる。


【手続補正１６】
【補正対象書類名】明細書
【補正対象項目名】０１１８
【補正方法】変更
【補正の内容】
【０１１８】
請求項４記載の発明によれば、監視装置は、遊技制御基板の非正当性が認められた場合に、管理装置側に不正状態情報（例えば、遊技用演算処理装置異常）を通報することにより、遊技用演算処理装置の非正当性を管理装置側で迅速に把握することができる。


【手続補正１７】
【補正対象書類名】明細書
【補正対象項目名】０１１９
【補正方法】削除
【補正の内容】